(57)【特許請求の範囲】
【請求項１】
軽量気泡コンクリートパネルが通気層を挟んで２層に並んで設置された外壁構造であって、１層目の軽量気泡コンクリートパネルの縦目地と２層目の軽量気泡コンクリートパネルの縦目地とが互い違いに設けられており、これら両縦目地の位置にはいずれも建築物の躯体及び通気胴縁が設けられている外壁構造。
【請求項２】
前記１層目と２層目の軽量気泡コンクリートパネルは、いずれも先端部が建築物の躯体にまで達し且つ頭部が軽量気泡コンクリートパネル内に埋没する固定ビスで固定されており、該埋没部分には耐火性能のある補修材が充填されている、請求項１に記載の外壁構造。
【請求項３】
前記１層目と２層目の軽量気泡コンクリートパネルのうち、外側の軽量気泡コンクリートパネルの目地間にはシーリングを施し、内側の軽量気泡コンクリートパネルの躯体側には防水紙を設ける、請求項１又は２に記載の外壁構造。
【発明の詳細な説明】
【技術分野】
【０００１】
本説明は、建築物の外壁構造に関するものである。
【背景技術】
【０００２】
軽量気泡コンクリートパネル（以下、ＡＬＣパネルとも称する）を用いた外壁構造には特許文献１等に示されるように数多くの種類が提案されており、主に低層木造用に使われている外壁構造としては、図１に示すように建築物の構造躯体１０に外装用パネルとしてのＡＬＣパネル１１をビス１２により直接固定する直張り工法によるものがある。また、図２に示すように躯体２０に設けた構造用合板２１の外側に防水紙２２を張り付け、その外側に通気胴縁２３を設けてこの通気胴縁２３に外装用パネルとしてのＡＬＣパネル２４をビス２５により固定する通気工法がある。
【０００３】
これらの外壁構造を備えた建築物では、隣家の火災時において火又は熱に曝された場合の延焼の度合いは上記外装用パネルの耐火性能に依存することになる。一般的には長時間に亘って火炎に曝されるとパネル目地部のシーリングが先に劣化し、該目地部から火炎が侵入して胴縁が炭化する。胴縁が炭化すると外装用パネルを保持できなくなり、外装用パネルはその自重等によりずれたり脱落したりする。その結果、空隙や開口が生じ、そこから火炎が建物内部に侵入して建築物が延焼することになる。
【０００４】
また、ＡＬＣパネルを用いた外壁構造では、その止水性能は図１のような直張り工法の場合は躯体に直接取り付けたＡＬＣパネルの目地シーリングに依存する。そのため、シーリングが何らかの原因で切れた場合は直接屋内側に漏水する。直張り工法のバリエーションとして躯体とＡＬＣパネルとの間に設けた構造用合板に防水紙を貼ることがあり、これによりシーリングが切れた場合の漏水を防水紙で食い止めることができるが、この場合は躯体とＡＬＣパネルとの間に空間がないため、侵入した漏水を排出させるのが困難になる。
【０００５】
一方、図２のような通気工法の場合は躯体に設けた構造用合板に防水紙を張り付け、更にその外側に通気層を設けるので、ＡＬＣパネルの目地シーリングが切れて漏水した水は防水紙で食い止められ、通気層を介して容易に排出される。しかし、この工法は漏水の侵入を防水紙のみで防ぐため、使用する防水紙の施工不良や損傷等により漏水する可能性がある。
【０００６】
また、図３に示すように躯体３０に設けた構造用合板３１の外側に被覆材としてせっこうボード３２を二重貼りする仕様も用いられている。しかし、せっこうボードの耐水性能はＡＬＣパネル程高くないため、内側ボード３２ａの躯体側表面と外側ボード３２ｂの通気層側表面とをそれぞれ防水紙３３で被覆する必要がある。この場合、防水紙３３を被覆する業者とせっこうボード３２などの外装材の施工業者とが異なると、建物外壁を３回に分けて工事する必要があるため、コストや施工性の点で問題になることがあった。
【先行技術文献】
【特許文献】
【０００７】
【特許文献１】特開２００４−２４４９６８号公報
【発明の概要】
【発明が解決しようとする課題】
【０００８】
本発明は上記した従来の問題に鑑みてなされたものであり、隣家の火災等により火炎や熱に曝された際の類焼の被害を抑えることができる上に優れた止水性能を確保することができ、更にはコストダウンと高い施工性とを実現することが可能な外壁構造を提供することを目的としている。
【課題を解決するための手段】
【０００９】
上記目的を達成するため、本発明の外壁構造は、軽量気泡コンクリートパネルが通気層を挟んで２層に並んで設置された外壁構造であって、１層目の軽量気泡コンクリートパネルの縦目地と２層目の軽量気泡コンクリートパネルの縦目地とが互い違いに設けられており、これら両縦目地の位置にはいずれも建築物の躯体及び通気胴縁が設けられていることを特徴としている。
【発明の効果】
【００１０】
本発明によれば、隣家の火災等により火炎や熱に曝された際の類焼の被害を抑えることができる上に優れた止水性能を確保することができ、更にはコストダウンと高い施工性とを実現することが可能になる。
【図面の簡単な説明】
【００１１】
【図１】直張り工法により施工された従来の外壁構造を水平方向に切断した部分断面図である。
【図２】通気工法により施工された従来の外壁構造を水平方向に切断した部分断面図である。
【図３】せっこうボードが二重貼りされた従来の外壁構造を水平方向に切断した部分断面図である。
【図４】本発明の外壁構造の一具体例を示す斜視図である。
【図５】図４の外壁構造を水平方向に切断した部分断面図である。
【発明を実施するための形態】
【００１２】
以下、本発明の外壁構造の一具体例について図４を参照しながら説明する。この図４に示す建物の外壁構造は、１層目の耐火被覆用及び断熱用の軽量気泡コンクリートパネル（以降、被覆用パネルと称する）１と、２層目の外装用の軽量気泡コンクリートパネル（以降、外装用パネルと称する）２とが通気層Ａを挟んで二重貼りで施工されている。このように、軽量気泡コンクリートパネルによる外壁構造を被覆用パネル１と外装用パネル２の二重貼りをすることにより、外装用パネル２が火災により劣化してずれや脱落が生じても、その隙間または開口から侵入する火炎や熱を被覆用パネル１で防ぐことができるので、延焼時間を延ばすこと可能になる。
【００１３】
これら２層の軽量気泡コンクリートパネルは、いずれも所定の厚みを有する長方形状に成形されたものが一般に用いられる。また、被覆用パネル１には表裏面ともフラットな形状のパネルが使用され、外装用パネル２には表裏面ともフラットなパネルか、又は表側に模様を彫り込んだ形状のパネルが使用される。これら２層の軽量気泡コンクリートパネルの施工では、建築物の躯体３に設けた構造用合板４の外側に防水紙５を貼り、その外側に１層目としての被覆用パネル１を張る。その際、上下に隣り合う被覆用パネル１の対向する端面同士が当接するように積層する。次に、被覆用パネル１の外側に所定の間隔をあけて通気胴縁６を設け、その外側に２層目としての外装用パネル２を固定する。この場合も上下に隣り合う外装用パネル２の対向する端面同士が当接するように積層する。
【００１４】
上記の１層目と２層目のパネル施工の際、１層目の被覆用パネル１の縦目地１ａと２層目の外装用パネル２の縦目地２ａとをパネル面に垂直な方向から見てお互いに重ならないように互い違いにずらして施工する。このように被覆用パネル１の縦目地１ａと外装用パネル２の縦目地２ａとを互い違いに設けることにより、外装用パネル２の縦目地部から侵入した火炎や熱が被覆用パネル１の縦目地部に直接当たるのを避けることができる。更に、通気胴縁６の炭化による熱の屋内側への侵入を防ぐことも可能になる。これにより、延焼時間を延ばすことが可能になるので建築物の安全性を高めることができる。
【００１５】
また、外装用パネル２の目地間にシーリングを施すことによって、前述した躯体側に設けた防水紙５及び軽量気泡コンクリートパネルの通気層Ａを挟んだ二重構造による通気構造と共に優れた止水性能を確保することができる。すなわち、通常は外装用パネル２の目地シーリングで良好な止水性能を確保できるが、これが劣化等により漏水しても、該漏水した水は通気層Ａを通じて外部に排出することが可能であり、外装用パネル２の劣化が激しくなって漏水が多くなっても、屋内側に設けた防水紙５により屋内側への漏水を防止することが可能になる。
【００１６】
軽量気泡コンクリートパネルの固定は、被覆用パネル及び外装用パネルそれぞれビスで固定する。具体的には図５に示すように、内側の被覆用パネル１の固定は、当該被覆用パネル１、防水紙５、及び構造用合板４を貫通する固定ビス７を柱や間柱等の躯体３に螺合させて固定する。通気胴縁６の固定は、当該通気胴縁６、被覆用パネル１、防水紙５、及び構造用合板４を貫通する固定ビス８を柱や間柱等の躯体３に螺合させて固定する。外側の外装用パネル２の固定は、当該外装用パネル２、通気胴縁６、被覆用パネル１、防水紙５、及び構造用合板４を貫通する固定ビス９を柱や間柱等の躯体３に螺合させて固定する。固定ビス７及び９は、ねじ込んだ時にそれぞれ頭部がＡＬＣパネル内に埋没するようになっており、この埋没部分には耐火性能のある補修材Ｂを充填するのが好ましい。
【００１７】
上記した本発明の外壁構造は、木造躯体及び鉄骨躯体の両方に適用可能である。また、被覆用パネルと外装用パネルに同じ軽量気泡コンクリートパネルを用いることができるので、建物外壁の２回のパネル工事を簡易に済ますことができ、また、防水紙も１回の施工で済むため、全体的なコスト削減及び工程短縮が可能になる。なお、上記のように２層のＡＬＣパネルの縦目地をずらすことに加えて、被覆用パネルの横目地と外装用パネルの横目地がお互いに重ならないようにずらしてもよく、これによりより一層安全性を高めることができる。
【符号の説明】
【００１８】
１    被覆用パネル
１ａ  縦目地
２    外装用パネル
２ａ  縦目地
３    躯体
４    構造用合板
５    防水紙
６    通気胴縁
７、８、９    固定ビス
Ａ    通気層
Ｂ    補修材
【図１】
0006562502.tif 000002
【図２】
0006562502.tif 000003
【図３】
0006562502.tif 000004
【図４】
0006562502.tif 000005
【図５】
0006562502.tif 000006